(57)【特許請求の範囲】
【請求項１】
複数の竿体を連結した釣り竿であって、
前記竿体のうちの穂先竿の先端に付与された魚の引き込み力によって釣り竿に複数の振動波が発生し、その複数の振動波のうちの、魚信として伝達される一次モード振動波の周波数に対して整数倍の周波数を呈する高次モード振動波の伝播を抑制すべく、竿体の固有振動数を変更する振動抑制体を、前記複数の竿体における手元側竿体の竿先端部に装着してある釣り竿。
【請求項２】
前記振動抑制体が高比重のプリプレグである請求項１記載の釣り竿。
【発明の詳細な説明】
【技術分野】
【０００１】
本発明は、釣り竿に関する。
【背景技術】
【０００２】
釣り竿に関しては、魚の当たりが生じた場合に、その当たりの振動が魚信として効率よく釣り人の手元に伝達されることが求められる。
その為に、穂先竿の先端に加速度センサを取り付け、前記加速度センサで捕捉した魚の当たりによる信号を増幅器で増幅し、増幅した信号を手元側竿体の握り部に設けた振動発生部材に印加して、振動発生部材を振動させて釣り人に敏感に感知させる構成を採るものがある（特許文献１）。
【先行技術文献】
【特許文献】
【０００３】
【特許文献１】実公平３−１３１９４号公報（第１頁第２欄の第１８行目〜第２６行    目、第１図）
【発明の概要】
【発明が解決しようとする課題】
【０００４】
上記したように、魚信を効率よく捉え迅速に竿操作を行う点も重要である。
しかし、一方では、魚が掛かった場合に手元に伝わってくる不快な振動を抑制することも、竿操作を軽快に行いたい釣り人にとっては関心のあるものである。
つまり、魚が針掛かりした場合に、穂先竿から手元側竿体に、魚固有の魚信となる一次モード振動波と、その一次モード振動波の周波数に対して整数倍の周波数を持った高次モード振動波とが重畳されて伝達されることがある。
【０００５】
このような高次モード振動波は、手元側竿体の握り部を握っている釣り人の手に不快感を与え、釣り竿を持っている釣り人の持ち重り感を増大させ竿操作の軽快感を損なわせ、疲れさせる原因となるところから、抑制する手段を必要としていた。
【０００６】
このような点を考慮した場合に、前記したように、魚の当たりを電気信号として感知し、それを電気的に増幅して釣り人の手元に伝達することとなると、その不快な高次モード振動波も増幅して伝達することとなるところから、釣り操作に影響を与える虞があった。
【０００７】
本発明の目的は、不快感を与える高次モード振動波の手元側竿体への伝達を抑制できる釣り竿を提供する点にある。
【課題を解決するための手段】
【０００８】
〔構成〕
請求項１に係る発明の特徴構成は、複数の竿体を連結した釣り竿であって、
前記竿体のうちの穂先竿の先端に付与された魚の引き込み力によって釣り竿に複数の振動波が発生し、その複数の振動波のうちの、魚信として伝達される一次モード振動波の周波数に対して整数倍の周波数を呈する高次モード振動波の伝播を抑制すべく、竿体の固有振動数を変更する振動抑制体を、前記複数の竿体における手元側竿体の竿先端部に装着してある点にあり、その作用効果は次の通りである。
【０００９】
〔作用効果〕
つまり、振動抑制体を釣り竿の適宜部分に設けることによって、釣り竿の固有振動数を高次モード振動波の周波数とは異なるものに変更できる。これにより、釣り竿を握る釣り人の手に、高次モード振動波が伝達されることを抑制することができて、釣り人は不快感を余り感ずることがない。したがって、釣り竿を持つ手の負担が軽減され、軽快な釣り操作が行える。
【００１０】
釣り竿の固有振動数を高次モード振動波の周波数とは異なる周波数とする手法として、高次モード振動波の腹位置に振動抑制体を装着する必要がある。その腹位置は複数個あり、穂先竿の先端も腹位置となる。その穂先竿の先端に振動抑制体を装着することも考えられる。
【００１１】
しかし、その場合には、釣り竿の先端が重くなるので、持ち重り感が大きく、釣り竿を持つ釣り人の負担が大きい。
そこで、本願発明では、複数の腹位置で竿元側に位置する手元側竿体の竿先端部を選定し、その竿先端部に振動抑制体を装着した。このことによって、不快な高次振動波を抑制しながら、持ち重り感が少なく、釣り竿を握る釣り人の負担を軽減できる釣り竿を提供できた。
【００１２】
〔構成〕
請求項２に係る発明の特徴構成は、前記振動抑制体が高比重のプリプレグである点にある。
【００１３】
振動抑制体がプリプレグであるので、釣り竿の竿体と同様のプリプレグ素材で構成されており、釣り竿を製作する工程の流れの中に振動抑制体を装着する工程を組み込むことができ、振動抑制体を取り付けることによる製作能率の低下を来たすことが回避できた。  
【図面の簡単な説明】
【００１４】
【図１】釣り竿を示す全体側面図である。
【図２】元上と元竿との連結前の状態を示し、元竿の玉口に振動抑制体を施している    状態を示す縦断側面図である。
【図３】穂先竿にヘラ鮒の引き力に相当する錘を吊り下げ、錘を所定の周波数で強制    振動させた場合に、元竿での振動状態を測定する装置を示す側面図である。
【発明を実施するための形態】
【００１５】
釣り竿Ａの一例としてヘラ竿で説明する。
図１に示すように、釣り竿Ａは次に示す各竿体で構成されており、各竿体としては、釣り糸ａを取り付けた穂先竿１、二番竿２、元上３、握り部４Ｂを備えた手元側竿体としての元竿４とで構成されるものである。
【００１６】
穂先竿１と二番竿２、二番竿２と元上３、元上３と元竿４との連結は、インロー継ぎ形式が採用されている。したがって、元上３と元竿４との関係で説明すると、図２に示すように、元竿４の竿先端部４Ａからインロー芯４ａを延出し、元上３の竿尻端開口３Ａに挿入連結可能に構成する。
【００１７】
竿体については図示しないが、次のような製造方法で製造される。
炭素繊維、ガラス繊維等の強化繊維を一方向に引き揃えたものに、エポキシ等の熱硬化性樹脂又はＰＥＴ等の熱可塑性樹脂を含浸させて、プリプレグシートを構成する。その他、バルクモールド法、シートモールド法を利用して、プリプレグシートを構成してもよい。このプリプレグシートを所定形状に裁断して、メインパターンを形成する。この他、竿尻端等の補強を図る為に、メインパターンより長さの短い補強パターン等をメインパターンの竿先側端部または竿尻側端部に重ねて巻回してもよい。プリプレグシートの代わりに、幅の細いプリプレグテープを巻回して用いてもよい。
【００１８】
メインパターンとして、強化繊維を周方向に引き揃えた第１層と、強化繊維を軸線方向に沿って引き揃えた第２層と、強化繊維を周方向に引き揃えた第３層とを揃える。これらを重ね合わせてマンドレルに巻回し、または、順次マンドレルに巻回して積層していくことによって、筒状体を構成する。筒状体をマンドレルと一体で焼成し、マンドレルを脱芯後所定長さに裁断し研磨処理等を行って竿素材を構成する。
竿素材の外面には、塗料を刷毛塗りや扱き塗装、或いは、真空蒸着等のＰＶＤやＣＶＤ等の薄膜製法技術を使用することによって装飾層８を形成して竿体を構成する。
【００１９】
次に、振動抑制体５について説明する。振動抑制体５は、高比重プリプレグ材であり、ガラススクリームにエポキシ樹脂を含浸させたものに、タングステン等の金属粉末を混入させたものである。高比重プリプレグ材としては、５００〜６００ｇ／ｍ2、厚さ０．１ｍｍ〜０．１５ｍｍ程度のものである。
高比重プリプレグ材のマトリックス樹脂としては、ウレタン樹脂等も使用可能である。
【００２０】
一般に、釣り竿Ａには、釣り竿Ａの竿径や竿長、及び、剛性などに起因して複数個の固有振動数が存在する。固有振動数は、釣り竿Ａを片持ち支持して、穂先竿の先端を衝撃ハンマー等で衝撃力を付与することによって振動を与え、その振動を計測することによって知ることが出来る。
したがって、釣り竿Ａについても複数個の固有振動数が存在する。
【００２１】
振動抑制体５によって魚が掛かった場合の釣り竿Ａに作用する不快な振動を抑制するものであり、その不快な振動波は、一次モード振動波の周波数に対して整数倍の周波数を呈する高次モード振動波である。
つまり、前記したように、魚が掛かった場合に釣り竿には、魚の魚信として伝播する一次モード振動波に加えて、その一次モード振動波の周波数に対して整数倍の周波数を有する二次、三次の高次モード振動波が重畳して伝播する。
【００２２】
ここに、一次モード振動波の周波数の整数倍の周波数を呈する二次、三次の高次モード振動波が元竿に伝播されると、握り部４Ｂを握っている釣り人の手に不快感を与える。
そこで、次に記すような手法によって、釣り竿Ａの固有振動数がその不快な振動数と一致しないように振動抑制体５を施すこととする。
【００２３】
振動抑制体５を巻回する位置を選定する際に使用される測定装置Ｂについて説明する。
図３に示すように、釣り竿Ａの元竿４における基端部を支持台６に取り付ける。支持台６に取り付けた片持ち状態で釣り竿Ａを延出し、穂先竿１の先端に魚の引っ張り力（重量ではない）に相当する錘Ｗを吊り下げる。支持台６に支持された釣り竿Ａの基端部には、その基端部の振動加速度を検出するピックアップ式の加速度センサ７を設けてある。
【００２４】
以上のような測定装置Ｂを設けて、次のように、振動抑制体５を巻回する所定位置を選定するために、釣り竿Ａの振動特性を調べる。
（１）  錘Ｗに所定の周波数を持った強制振動を加えて、釣り竿Ａを振動させる。
（２）  強制振動の周波数（入力側）としては、１Ｈｚ〜５０Ｈｚを順次錘Ｗに加えて、加速度センサ７で基端部の振動加速度（出力）を測定する。
（３）  例えば、ヘラ鮒の引きの周波数の高次モード振動波の周波数に相当する２０Ｈｚで錘Ｗを強制振動させる。その場合に、出力側の振動加速度を加速度センサ７で測定し、測定した振動加速度を時間軸上にプロットすると、周波数２０Ｈｚに対応する釣り竿Ａの振動状態が表れる。振動加速度は、振幅と１８０°位相を異ならせて表れる。この測定状態で大きく振動する共振状態が表れれば、釣り竿Ａの固有振動数が周波数２０Ｈｚに一致したことを示すこととなる。
（４）  そうすると、後記するように、釣り竿Ａの固有振動数を異なる周波数にする為に、釣り竿Ａの適宜部位に振動抑制体５を装着することとなる。
【００２５】
因みに、ヘラ鮒の引き力は１００ｇ前後と想定され、引きの周波数は９〜１０Ｈｚと想定される。したがって、この引きの周波数が魚信として伝達されるものであり、引きの周波数を一次モード振動波の周波数と称する。釣り人が不快に感ずる周波数としては、一次モード振動波の周波数に対して整数倍となる１８〜２０Ｈｚ（２倍）、又は、２７〜３０
Ｈｚ（３倍）の周波数の振動波が想定できる。
【００２６】
したがって、釣り竿Ａの固有振動数等のいずれかと高次モード振動波の周波数が一致すると、釣り竿Ａが共振状態となって高次モード振動波が釣り人の手元に伝達される。それによって手元に高次モード振動波が伝達されて、釣り人が不快感を感ずることとなる。
そこで、高次モード振動波１８〜２２Ｈｚ（２倍）、又は、２７〜３０Ｈｚ（３倍）の振動波の周波数と釣り竿Ａの固有振動数等のいずれかが一致しないように、振動抑制体５を設置する。
尚、魚の引きに掛かる周波数は、魚毎に確かめられており、概ね、ヘラ鮒の場合には１０Ｈｚ前後、鮎の場合には２０Ｈｚ前後である。
【００２７】
振動抑制体５の設置位置としては、釣り竿Ａにおける何れの位置にも可能である。それによって、釣り竿Ａの固有振動数が変化するからである。そして、高次モード振動波において最も振幅（腹部位）が大きな穂先竿１の先端に取り付けることも考えられる。
しかし、穂先竿１に振動抑制体５を装着すると竿先側が重くなって持ち重りがする。そこで、持ち重りを解消する策として、元竿４の竿先端部（玉口）４Ａ部位に振動抑制体５を装着した。
【００２８】
上記した手法は一例であって、実際には穂先竿１の先端に特定の振動数を与えて、その都度釣り竿Ａに発生する複数の振動波形から、周波数分析器により分析して釣り人が不快に感ずる周波数を特定し、その周波数から振動モードを割り出して振動の腹となる位置を算出する。この腹となる位置に振動抑制体５を配置することによって、釣り人が不快に感ずる振動波が手元に伝達されることが抑制される。
【００２９】
振動抑制体５を施した元竿４の竿先端部４Ａの具体的構成は次ぎのようになっている。
図２に示すように、元竿４に至る途中の製作段階にある前記した竿素材の外周面に、高比重プリプレグ製の振動抑制体５を巻回する。振動抑制体５の竿元側にその振動抑制体５との段差を生じさせないように、装飾層８が形成されている。また、振動抑制体５の外周面には、装飾層８に使用された塗料等を使用して、竹の節に似せた装飾部９を形成してある。装飾部９を形成するのは、釣り竿Ａの理想形である竹竿に似せるためである。
【００３０】
〔別実施形態〕
（１）  釣り竿Ａにおいて振動抑制体５を取り付ける位置は、一箇所だけでなく、高次モード振動波においては、複数箇所の腹位置に設けてもよい。
【００３１】
（２）  振動抑制体５を構成する高比重プリプレグに混入される高比重金属としては、タングステン以外にモリブデン等の高比重金属を使用してもよい。
【００３２】
（３）  振動抑制体５としては、アルミやチタン等の軽量金属のリング体や板材等を使用してもよい。
【産業上の利用可能性】
【００３３】
本発明は、インロー継ぎ竿だけでなく並継竿、振出竿にも利用できる。
【符号の説明】
【００３４】
１          穂先竿（竿体）
２          二番竿（竿体）
３          元上（竿体）
４ 元竿（手元側竿体）
４Ａ 竿先端部
５          振動抑制体
Ａ          釣り竿
【図１】
0005517512.tif 000002
【図２】
0005517512.tif 000003
【図３】
0005517512.tif 000004